(57)【要約】      （修正有）【課題】飲料を注ぎ出すと固形物も飲料と共に出てきてしまう不便を解消できるポットを提供する。【解決手段】それぞれ収容空間３３に連通する上方開口３１１と注ぎ口３１２とを有するポット本体３と、ポット本体３における上方開口３１１の口縁３１により下から保持されるように形成された支持体４１と、支持体４１から収容空間３３に入り込むように延伸するよう形成された柱体４３とを有する入れ子ユニット４と、環状に形成されていて、柱体４３を挿通させると入れ子ユニット４に連結され、支持体４１が上方開口３１１の口縁３１に保持されたときに注ぎ口３１２より低い位置に来るように構成されたストッパープレート５と、を具え、支持体４１がポット本体３の上方開口３１１の口縁３１に保持された状態で、飲料２１を収容空間３３から注ぎ口３１２を経て注ぎ出すと、固形物２２がストッパープレート５に当たり注ぎ口３１２から出ない。【選択図】図４
0003212760.tif 000002
【実用新案登録請求の範囲】
【請求項１】
飲料及び固形物を収容する収容空間を画成していると共に、前記飲料及び固形物を前記収容空間に入れるための上方開口と、前記飲料を前記収容空間から注ぎ出すことができるように前記収容空間と連通している注ぎ口とを有するポット本体と、
前記ポット本体における前記上方開口の口縁により下から保持されるように形成された支持体と、前記支持体から延伸していて、前記支持体が前記上方開口の口縁に保持された際に前記収容空間に入り込むように形成された柱体とを有する入れ子ユニットと、
内に前記柱体を通すことができるよう環状に形成されていて、前記柱体を挿通させると前記柱体の前記支持体との付け根側で前記入れ子ユニットに連結され、前記支持体が前記上方開口の口縁に保持されたときに前記注ぎ口より低い位置となるように構成されたストッパープレートと、を具え、
前記支持体が前記ポット本体の前記上方開口の口縁に保持された状態で、前記飲料を前記収容空間から前記注ぎ口を経て注ぎ出すと、前記固形物が前記ストッパープレートに当たり前記注ぎ口から出ないように構成されたことを特徴とする、ポット。
【請求項２】
前記ストッパープレートは、前記飲料を通す複数の貫通孔が形成されたフィルタープレートである、請求項１に記載のポット。
【請求項３】
前記ストッパープレートは、前記収容空間の前記注ぎ口より低い位置にある際に前記ストッパープレートの外周縁と前記ポット本体の内周面との間に前記飲料を通す隙間だけが残るように形成されている、請求項１又は２に記載のポット。
【請求項４】
前記入れ子ユニットの前記支持体は、
中孔があって前記ポット本体の前記上方開口の口縁に沿いながら上から該口縁と係合できるように形成された係合壁と、
前記係合壁の下端内周縁から延伸している上側周壁と、
前記上側周壁 から内向きに延伸している内フランジ壁と、
前記内フランジ壁から下向きに延伸し、上面視において前記上側周壁よりも内側にあるように形成されている下側周壁と、を有し、 
前記ストッパープレートは、前記支持体の前記下側周壁に外嵌して前記入れ子ユニットに連結されている、請求項１〜３のいずれか一項に記載のポット。
【請求項５】
前記注ぎ口は前記上方開口と一体的に形成されており、
前記支持体の前記係合壁は、上面視で切り欠きを有する欠円環状となるように形成されており、
前記上側周壁は、 
上面視で切り欠きが前記係合壁の切り欠きと同じ方向にある欠円環状となるように前記係合壁の下端内周縁から内向きに延伸している外環状部と、
上面視で円環状となるように前記外環状部の内周縁から更に内向きに連続している内環状部と、
前記内環状部の内周縁から下向きに筒状に延伸している筒状部と、を有し、
前記内フランジ壁は、前記上側周壁の前記筒状部から内向きに延伸しており、
前記支持体を、前記係合壁と前記外環状部との切り欠きが前記注ぎ口と対応するように前記上方開口の口縁に保持させると、前記注ぎ口を開放して前記飲料を注ぐことができる、請求項４に記載のポット。
【請求項６】
前記ストッパープレートは、
前記支持体の前記下側周壁に外嵌できるように形成された接続壁と、 
前記接続壁の周囲から外向きに延伸している環状のストッパー壁とを有する、請求項４または請求項５に記載のポット。
【請求項７】
前記支持体は、前記上側周壁と前記内フランジ壁とにより内側に蓋設置空間が画成され、
前記入れ子ユニットは、前記蓋設置空間に設置される蓋を更に有し、前記蓋は、前記上側周壁に取り外し自在に内嵌できる連結部と、前記連結部の上端に前記蓋設置空間を覆うことができるように形成されているヘッド部とを有する、請求項４に記載のポット。
【請求項８】
前記ストッパープレートは、前記支持体の下端部分又は前記柱体の上端部分のいずれか一方に外嵌して前記入れ子ユニットに連結されている、請求項１に記載のポット。
【請求項９】
前記柱体は、前記支持体の下端内周縁から下向きに延伸して下端が閉口している管状体である、請求項１に記載のポット。
【考案の詳細な説明】
【技術分野】
【０００１】
本考案は容器に関し、詳しくは飲料を収容するポットに関する。
【背景技術】
【０００２】
図１に、飲用に供するよう飲料を入れておくための従来のポットが示されている。このポットは、例えば氷を入れるための入れ子が蓋と一体になっていて、蓋をすると入れ子がポット内に入り込み、ポット内にある飲料を冷やすことができるものである。詳しく言うと、飲料を収容する収容空間１５を画成するように形成され且つ注ぎ口１６を有するポット本体１１と、ポット本体１１の収容空間１５に繋がる上方開口を形成する開口部に設けられる蓋１２とを具え、蓋１２には柱体１３が下方に突き出るように設けられている。柱体１３は氷等を入れておくための入れ子となる部分であり、蓋１２から取り外しできるようになっている。蓋１２がポット本体１１に設置されると、柱体１３が収容空間１５に入り込む。
【０００３】
使用時には、収容空間１５に茶やジュースその他の飲料を入れておき、更に柱体１３内に氷を入れたり或いは柱体１３そのものを冷やしておいたりした上で、蓋１２をポット本体１１の開口部に設置すると、柱体１３が収容空間１５内の飲料に浸かり、飲料を冷やすことができる。
【考案の概要】
【考案が解決しようとする課題】
【０００４】
しかしながら、このようなポットに入れる飲料には、例えば茶葉、果物のスライスやブロック等の固形物を入れる場合があり、この場合にポットを傾けて飲料を注ぎ口１６から注ぎ出すと、固形物も飲料と共に出てきてしまうという不便がある。
【０００５】
そこで本考案は、上述の不便を解決することができるポットの提供を目的とする。
【課題を解決するための手段】
【０００６】
上記目的を達成するための手段として、本考案は、以下のポットを提供する。
【０００７】
即ち、飲料及び固形物を収容する収容空間を画成していると共に、前記飲料及び固形物を前記収容空間に入れるための上方開口と、前記飲料を前記収容空間から注ぎ出すことができるように前記収容空間と連通している注ぎ口とを有するポット本体と、
前記ポット本体における前記上方開口の口縁により下から保持されるように形成された支持体と、前記支持体から延伸していて、前記支持体が前記上方開口の口縁に保持された際に前記収容空間に入り込むように形成された柱体とを有する入れ子ユニットと、
内に前記柱体を通すことができるよう環状に形成されていて、前記柱体を挿通させると前記柱体の前記支持体との付け根付近で前記入れ子ユニットに連結され、前記支持体が前記上方開口の口縁に保持されたときに前記注ぎ口より低い位置に来るように構成されたストッパープレートと、を具え、
前記支持体が前記ポット本体の前記上方開口の口縁に保持された状態で、前記飲料を前記収容空間から前記注ぎ口を経て注ぎ出すと、前記固形物が前記ストッパープレートに当たり前記注ぎ口から出ないように構成されたことを特徴とするポットを提供する。
【考案の効果】
【０００８】
上記手段によれば、飲料が固形物と共に収容空間に収容されていても、飲料を注ぎ出すときには、固形物がストッパープレートに阻まれて外に出ず、飲料だけを注ぎだすことができるので、使い勝手に優れる。
【図面の簡単な説明】
【０００９】
【図１】従来のポットの一例を示す側面図である。
【図２】本考案に係るポットの一実施形態を示す分解斜視図である。
【図３】上記実施形態を示す縦断面図である。
【図４】本考案に係るポットの上記実施形態における使用例を説明する縦断面図である。
【考案を実施するための形態】
【００１０】
以下、図面を参照しながら本考案の具体的な実施形態を説明する。
【００１１】
図２〜図４には、本考案に係るポットの一実施形態が示されており、この内、図２は分解斜視図、図３は縦断面図、図４は当該実施形態における使用例を説明する縦断面図である。
【００１２】
本考案に係るポットは、ポット本体３と、ポット本体３内の飲料２１を冷やすためのものであって一部がポット本体３内に配置される入れ子ユニット４と、ポット本体３から飲料を注ぎ出す際に飲料２１に含まれる固形物２２が注ぎ出されないようにするためのものであって入れ子ユニット４と連結されるストッパープレート５とを具える。ポット本体３内に収容される飲料２１の例としては、コーヒーや茶系飲料、ジュースや炭酸飲料等の清涼飲料水が挙げられる。飲料２１に含まれる固形物２２の例としては、茶葉、氷、果実が挙げられる。以下、各構成につき詳しく説明する。
【００１３】
ポット本体３は、飲料２１及び固形物２２を収容する収容空間３３を画成していると共に、飲料２１及び固形物２２を収容空間３３に入れるための上方開口３１１と、飲料２１を収容空間３３から注ぎ出すことができるように収容空間３３と連通している注ぎ口３１２とを有する。また、ポット本体３には使用者がポット本体３を持ち上げるための取っ手６が設けられている。また、本実施形態においてポット本体３は上方開口３１１の口縁３１が略円形であり、注ぎ口３１２は上方開口３１１を画成する口縁３１の一部が外側に突き出るようにして上方開口３１１と一体的に形成されている。
【００１４】
入れ子ユニット４は、ポット本体３における上方開口３１１の口縁３１により下から保持されるように形成された支持体４１と、支持体４１に取り付けられる蓋４２と、支持体４１から下方に延伸していて、支持体４１が上方開口３１１の口縁３１に保持された際に収容空間３３に入り込むように形成された柱体４３とを有する。
【００１５】
支持体４１は、中孔があってポット本体３の上方開口３１１の口縁３１に沿いながら上から口縁３１と係合できるように形成された係合壁４１１と、係合壁４１１の下端内周縁から下向きに延伸している上側周壁４１２と、上側周壁４１２から内向きに延伸している内フランジ壁４１３と、内フランジ壁４１３から下向きに延伸している下側周壁４１４とを有する。
【００１６】
係合壁４１１は、図２に示されているように、上面視で切り欠きを有するＣ字形の欠円環状となるように且つ縦断面が下方開放のコの字形となるように形成されており、この下方開放側から口縁３１を嵌め入れることにより口縁３１と係合し、即ち係合壁４１１が口縁３１により下から保持されるようになる。
【００１７】
上側周壁４１２は、上面視で切り欠きが係合壁４１１の切り欠きと同じ方向にあるＣ字形の欠円環状となるように係合壁４１１の下端内周縁から内向きに延伸している外環状部４１５と、上面視でＯ字形の円環状となるように外環状部４１５の内周縁から更に内向きに外環状部４１５と一体的に形成された内環状部４１６と、内環状部４１６の内周縁から下向きに筒状に延伸している筒状部４１７とを有する。
【００１８】
内フランジ壁４１３は、上側周壁４１２の筒状部４１７から内向きに環状に延伸しており、上側周壁４１２と共に内側に蓋設置空間４１８を画成している。蓋設置空間４１８は、下述するように蓋４２を設置するための空間である。
【００１９】
下側周壁４１４は、図２及び図３に示すように、上面視において上側周壁４１２よりも内側に位置するように内フランジ壁４１３の下面から延伸して形成されている。即ち、下側周壁４１４の直径は、上側周壁４１２の直径よりも短い。
【００２０】
蓋４２は、図３に示すように、上側周壁４１２の内面に取り外し自在に内嵌できる連結部４２１と、連結部４２１の上端に蓋設置空間４１８を覆うことができるように形成されているヘッド部４２２とを有する。
【００２１】
柱体４３は、内フランジ壁４１３の内周縁から下向きに延伸して下端が閉口している管状体として形成されており、蓋設置空間４１８に連通している管柱空間４３１を内部に有している。
【００２２】
使用時には、蓋設置空間４１８に設置されている蓋４２を取り外して管柱空間４３１を開放させることにより、管柱空間４３１に例えば氷や保冷材などの保温物を入れておくことができる。また、支持体４１を、係合壁４１１と外環状部４１５とのそれぞれの切り欠きが注ぎ口３１２と対応するように（即ち図２の状態で）上方開口３１１の口縁３１に保持させると、注ぎ口３１２が開放されて飲料２１を注ぎ出すことができる。
【００２３】
ストッパープレート５は、内に入れ子ユニット４の柱体４３を通すことができるように環状に形成されていて、柱体４３を挿通させると、柱体４３の支持体４１との付け根側で入れ子ユニット４に取り外し可能に連結され、入れ子ユニット４の支持体４１がポット本体３の上方開口３１１の口縁３１に保持されたときに、ポット本体３の収容空間３３において注ぎ口３１２より低い位置となるように構成されている。
【００２４】
具体的な形状として、本実施形態におけるストッパープレート５は、図２及び図３に示されているように、入れ子ユニット４の支持体４１の下側周壁４１４に外嵌（図３の状態）できるように円筒状に形成された接続壁５１と、接続壁５１の下端における周囲から外向きに且つ下方に向かって湾曲するように延伸している環状のストッパー壁５２とを有する。
【００２５】
本実施形態におけるストッパー壁５２には、飲料２１を通し飲料２１に含まれる固形物２２を通さないほどの孔径を有する複数の貫通孔５２１が形成されている。更に、本実施形態におけるストッパー壁５２は、入れ子ユニット４が上述のようにポット本体３に保持されストッパープレート５が収容空間３３の注ぎ口３１２より低い位置にある際に、ストッパー壁５２の外周縁とポット本体３の内周面との間に、飲料２１を通し飲料２１に含まれる固形物２２を通さないほどの大きさの隙間３３３だけが残るように形成されている。また、ストッパープレート５が収容空間３３の注ぎ口３１２より低い位置にある際には、ストッパープレート５により収容空間３３が、図３に示されるように、上側にあり注ぎ口３１２に繋がる上部空間３３１と、ポット本体３の底部側にある下部空間３３２とに区切られ、上部空間３３１と下部空間３３２とは貫通孔５２１及び隙間３３３のみを介して連通する。
【００２６】
なお、ストッパープレート５の入れ子ユニット４に対する連結は、本実施形態における接続壁５１を支持体４１の下側周壁４１４に外嵌させる態様に限らず、例えば接続壁５１を管状体４３の上端部分に外嵌させて連結させてもよい。また、本実施形態では、支持体４１の下側周壁４１４に接続壁５１を外嵌させた際に、図３に示されるように支持体４１の上側周壁４１２の筒状部４１７と接続壁５１との外面の間に段差ができないように、接続壁５１の外径と筒状部４１７の外径が対応している。このように、ストッパープレート５が入れ子ユニット４に連結された際に接続壁５１と筒状部４１７との外面が面一となることで、ストッパープレート５と入れ子ユニット４との間に汚れが溜まるのを防止することができる。
【００２７】
上記構成により、本実施形態によれば、図３及び図４に示されているように、使用者がポットを使用する際には、収容空間３３に飲料２１と固形物２２が入れられたポット本体３に、ストッパープレート５が連結され且つ例えば氷が柱体４３内の管柱空間４３１に入れられた入れ子ユニット４を設置すると、収容空間３３内の飲料２１を柱体４３で冷やすことができる。
【００２８】
そして、この状態で、飲料２１を収容空間３３から注ぎ口３１２を経て注ぎ出すためにポットを傾けると、図４に示されるように、飲料２１が下部空間３３２からストッパープレート５の各貫通孔５２１及びストッパープレート５の外周縁とポット本体３の内周面との間の隙間３３３を通って上部空間３３１に入り注ぎ口３１２から注ぎ出される一方、固形物２２はストッパープレート５に当たり下部空間３３２に留められ、即ち注ぎ口３１２から出ない。このように、本考案は、新規な構成により、従来技術における不便を解決することができる
【００２９】
以上、本考案の好ましい実施形態を説明したが、本考案はこれに限定されるものではない。
【００３０】
例えば、本発明に係るポットにおいて、上記実施形態のように隙間３３３及び貫通孔５２１が両方とも設けられている構成とする必要はなく、ストッパープレート５に貫通孔５２１を設けず隙間３３３からのみ飲料が流れるように、あるいは、ストッパープレート５とポット本体３の間に隙間３３３ができないように構成して貫通孔５２１からのみ飲料が流れるようにしてもよい。
【００３１】
また、ポット本体３において注ぎ口３１２は、上方開口３１１を画成する口縁３１の一部が外側に突き出るようにして上方開口３１１と一体的に形成する必要はなく、上方開口３１１よりも下側にポット本体３を内外に貫通する貫通孔を設けて注ぎ口３１２としてもよい。この場合、支持体４１の係合壁４１１と外環状部４１５も欠円環状とする必要はなくなり、内環状部４１６と同様に円環状に形成してもよい。
【００３２】
また、上記実施形態では、洗う際の利便性を考慮して、ストッパープレート５を入れ子ユニット４に取り外し可能に連結されるよう構成したが、これに限らず、粘着により固定して連結されるよう構成することも可能である。
【００３３】
また例えば、入れ子ユニット４の柱体４３を、図示のような円柱状に形成する必要はなく、内に保温物を設けることができれば、様々な形状とすることが可能である。
【００３４】
上記変化例のように、本考案は、その要旨を逸脱しない範囲で種々の変更が可能である。
【産業上の利用可能性】
【００３５】
本考案は、例えば入れ子ユニットに氷などの保冷材を入れて飲料を冷やすことができる上に保冷材が飲料に直接触れないようにできることにより例えば保冷材としての氷が溶けても飲料が薄まってしまうことが防がれるという効果に加え、更に飲料を注ぎ出す時に飲料と共に入れられている固形物がストッパープレートに阻まれて外に出ないという効果を具えるので、固形物を含み得る飲料、例えばお茶（ティーパック）、ハーブティー（ハーブ）、レモンティー（スライスレモン）、その他様々な清涼飲料水（氷）を飲用に供するため入れておくためのポットとして有用である。
【符号の説明】
【００３６】
２１   飲料
２２   固形物
３     ポット本体
３１   口縁
３１１ 上方開口
３１２ 注ぎ口
３３   収容空間
３３１ 上部空間
３３２ 下部空間
３３３ 隙間
４     入れ子ユニット
４１   支持体
４１１ 係合壁
４１２ 上側周壁
４１３ 内フランジ壁
４１４ 下側周壁
４１５ 外環状部
４１６ 内環状部
４１７ 筒状部
４１８ 蓋設置空間
４２   蓋
４２１ 連結部
４２２ ヘッド部
４３   柱体
４３１ 管柱空間
５     ストッパープレート
５１   接続壁
５２   ストッパー壁
５２１ 貫通孔
６     取っ手
【図１】
0003212760.tif 000003
【図２】
0003212760.tif 000004
【図３】
0003212760.tif 000005
【図４】
0003212760.tif 000006